(57)【要約】【課題】撮影画像に対して赤目補正処理を行う場合であっても、撮影を行ってからクイックレビュー表示が行われるまでのタイムラグを短くする。【解決手段】被写体像を撮像する撮像部と、画像を表示する表示部と、撮像部により撮像された静止画像に対して、赤目現象が発生している部分を補正する赤目補正処理を行う赤目補正部と、撮像部により第１の静止画像を撮像させた後、第１の静止画像に対して赤目補正処理を施す前に第１の静止画像から生成した第１の表示用画像を前記表示部に表示させ、その後に第１の静止画像に対して赤目補正処理を施した第２の静止画像から生成した第２の表示用画像を表示部に表示させるように、撮像部と表示部を制御する制御部と、を具備する。【選択図】図４
2008109503.tif 000002
【特許請求の範囲】
【請求項１】
被写体像を撮像する撮像手段と、
画像を表示する表示手段と、
前記撮像手段により撮像された静止画像に対して、赤目現象が発生している部分を補正する赤目補正処理を行う赤目補正手段と、
前記撮像手段により第１の静止画像を撮像させた後、前記第１の静止画像に対して前記赤目補正処理を施す前に前記第１の静止画像から生成した第１の表示用画像を前記表示手段に表示させ、その後に前記第１の静止画像に対して前記赤目補正処理を施した第２の静止画像から生成した第２の表示用画像を前記表示手段に表示させるように、前記撮像手段と前記表示手段を制御する制御手段と、
を具備することを特徴とする撮像装置。
【請求項２】
前記第１の静止画像から、前記第１の表示用画像としての、第１の低解像度画像を生成する第１の低解像度画像生成手段と、前記第２の静止画像から、前記第２の表示用画像としての、第２の低解像度の画像を生成する第２の低解像度画像生成手段と、をさらに具備することを特徴とする請求項１に記載の撮像装置。
【請求項３】
前記赤目補正手段は、前記第１の低解像度画像から検出した赤目現象が発生している部分の位置に関する情報を用いて、前記第１の静止画像に対する赤目補正処理を行うことを特徴とする請求項２に記載の撮像装置。
【請求項４】
前記制御手段は、前記表示手段が前記第１の表示用画像を表示中に、前記第１の表示用画像に重ねて、前記赤目補正処理を実行中であることを示す表示を前記表示手段に表示させることを特徴とする請求項１に記載の撮像装置。
【請求項５】
被写体像を撮像する撮像手段と、画像を表示する表示手段と、前記撮像手段により撮像された静止画像に対して、赤目現象が発生している部分を補正する赤目補正処理を行う赤目補正手段と、を備える撮像装置を制御する方法であって、
前記撮像手段により第１の静止画像を撮像させる撮像工程と、
前記第１の静止画像に対して前記赤目補正処理を施す前に前記第１の静止画像から生成した第１の表示用画像を前記表示手段に表示させる第１の表示工程と、
前記第１の静止画像に対して前記赤目補正処理を施した第２の静止画像から生成した第２の表示用画像を前記表示手段に表示させる第２の表示工程と、
を具備することを特徴とする撮像装置の制御方法。
【請求項６】
請求項５に記載の制御方法をコンピュータに実行させることを特徴とするプログラム。
【請求項７】
請求項６に記載のプログラムを記憶したことを特徴とするコンピュータ読み取り可能な記憶媒体。
【発明の詳細な説明】
【技術分野】
【０００１】
本発明は、ストロボを使用して撮影した画像の赤目を補正する技術に関するものである。
【背景技術】
【０００２】
従来、固体メモリ素子を有するメモリカードを記録媒体として、静止画像や動画像を記録再生する電子カメラ等の撮像装置は既に市販されている。
【０００３】
従来の銀塩フィルムを使用するカメラにおいて、人物をストロボを使用して撮影した場合、目の色が赤く撮影されてしまう赤目現象が発生することがあり問題となっていた。この赤目現象は、暗所で開いている瞳孔に対して入射したストロボ光が網膜の血管を写し出してしまう現象である。これに対して従来の銀塩カメラにおいても、ランプやＬＥＤ、またはストロボのプリ発光等を用いて撮影前に光を被写体に照射し、撮影時に瞳孔を収縮させて赤目現象を緩和しようとしている。しかし、被写体が撮影者側を注視していない場合は赤目緩和効果が少ないなど完全に赤目現象を無くすのは困難であった。
【０００４】
一方、電子カメラにおいてもストロボ撮影時の赤目現象は同様に発生する。これに対して、人物の顔や目の位置を自動的に検出し、その情報を元に赤目現象が発生した場合に自動で赤目を修正するといった提案が行われている（特許文献１参照）。
【０００５】
さらには、ユーザの利便性を向上させるために、補正前画像情報と補正済み画像情報を記録することにより、自動補正結果にユーザが満足できない場合に、画質劣化を伴わずに再度赤目補正を行うことを可能とする提案が行われている（特許文献２参照）。
【０００６】
また、撮像装置の高解像度化による赤目自動補正の処理速度の低下に対する対策としては、次のような提案がなされている。すなわち、撮影の際に作成した低解像度の画像データから赤目の検出を行い、この検出情報を元に記録用画像データの赤目補正を行うことにより、処理速度を向上させる（特許文献３参照）。
【特許文献１】特開平１０−０２３３９２９号公報
【特許文献２】特開２００３−４２７７０４号公報
【特許文献３】特開２００５−１６７６９７号公報
【発明の開示】
【発明が解決しようとする課題】
【０００７】
ところで、上記のような電子カメラにおいては、ユーザが撮影操作後、赤目補正処理を行った後に、赤目補正済みの画像のクイックレビュー表示が行われていた。すなわち、ユーザは赤目補正処理が終了してからでなければ、クイックレビュー表示を見ることができなかった。なお、クイックレビュー表示とは、ユーザが撮影画像を確認できるように、撮影後に自動的にＴＦＴ，ＬＣＤ等の画像表示部に表示される撮影画像のことである。
【０００８】
しかし、上述した通り、撮影の際に作成した低解像度の画像データから赤目検出を行うことによって処理が高速化されるものの、特に赤目検出処理や赤目補正処理をソフトウェアで実現する場合など、赤目検出、及び補正処理時間が長くかかってしまう。そのため、赤目補正処理を行わない撮影時と比較すると、撮影してからクイックレビュー表示が行われるまでのブラックアウト期間が長くなるため、操作感が悪く、また、赤目補正処理を行っているかどうかがユーザに分かり難いという問題があった。
【０００９】
従って、本発明は上述した課題に鑑みてなされたものであり、その目的は、撮影画像に対して赤目補正処理を行う場合であっても、撮影を行ってからクイックレビュー表示が行われるまでのタイムラグを短くすることである。
【課題を解決するための手段】
【００１０】
上述した課題を解決し、目的を達成するために、本発明に係わる撮像装置は、被写体像を撮像する撮像手段と、画像を表示する表示手段と、前記撮像手段により撮像された静止画像に対して、赤目現象が発生している部分を補正する赤目補正処理を行う赤目補正手段と、前記撮像手段により第１の静止画像を撮像させた後、前記第１の静止画像に対して前記赤目補正処理を施す前に前記第１の静止画像から生成した第１の表示用画像を前記表示手段に表示させ、その後に前記第１の静止画像に対して前記赤目補正処理を施した第２の静止画像から生成した第２の表示用画像を前記表示手段に表示させるように、前記撮像手段と前記表示手段を制御する制御手段と、を具備することを特徴とする。
【００１１】
また、本発明に係わる撮像装置の制御方法は、被写体像を撮像する撮像手段と、画像を表示する表示手段と、前記撮像手段により撮像された静止画像に対して、赤目現象が発生している部分を補正する赤目補正処理を行う赤目補正手段と、を備える撮像装置を制御する方法であって、前記撮像手段により第１の静止画像を撮像させる撮像工程と、前記第１の静止画像に対して前記赤目補正処理を施す前に前記第１の静止画像から生成した第１の表示用画像を前記表示手段に表示させる第１の表示工程と、前記第１の静止画像に対して前記赤目補正処理を施した第２の静止画像から生成した第２の表示用画像を前記表示手段に表示させる第２の表示工程と、を具備することを特徴とする。
【００１２】
また、本発明に係わるプログラムは、上記の制御方法をコンピュータに実行させることを特徴とする。
【００１３】
また、本発明に係わる記憶媒体は、上記のプログラムを記憶したことを特徴とする。
【発明の効果】
【００１４】
本発明によれば、撮影を行ってから撮影画像に対して赤目補正処理を行う場合であっても、撮影を行ってから撮影画像の表示が行われるまでのタイムラグを短くすることが可能となる。
【発明を実施するための最良の形態】
【００１５】
以下、本発明の好適な一実施形態について、添付図面を参照して詳細に説明する。
【００１６】
図１は、本発明の一実施形態に係わるデジタルカメラの構成を示す図である。
【００１７】
図１において、１００はデジタルカメラである。
【００１８】
１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００１９】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。
【００２１】
また、画像処理回路２０においては、ＴＴＬ（スルー・ザ・レンズ）方式のＡＦ（オートフォーカス）処理、ＡＥ（自動露出）処理、ＥＦ（フラッシュプリ発光）処理を行っている。これらの処理は、撮像した画像データを用いて所定の演算処理を行い、得られた演算結果に基づいてシステム制御回路５０が露光制御部４０、測距制御部４２に対して制御を行う処理である。
【００２２】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮伸長回路３２、リサイズ回路３４、赤目検出回路３６、赤目補正回路３８を制御する。
【００２４】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２５】
２４は画像表示メモリ、２６はＤ／Ａ変換器、２８はＴＦＴ，ＬＣＤ等から成る画像表示部であり、画像表示メモリ２４に書き込まれた表示用の画像データはＤ／Ａ変換器２６を介して画像表示部２８により表示される。
【００２６】
画像表示部２８を用いて撮像した画像データを逐次表示すれば、電子ファインダ機能を実現することが可能である。この画像表示部２８はデジタルカメラ本体とヒンジ部を介して接続されており、その表示部をデジタルカメラ１００に向けて格納した状態と、格納しない状態とに自由に設定することができる。
【００２７】
３０は撮影した静止画像や動画像を格納するためのメモリであり、所定枚数の静止画像や所定時間の動画像を格納するのに十分な記憶容量を備えている。
【００２８】
これにより、複数枚の静止画像を連続して撮影する連射撮影やパノラマ撮影の場合にも、高速かつ大量の画像書き込みをメモリ３０に対して行うことが可能となる。
【００２９】
また、メモリ３０はシステム制御回路５０の作業領域としても使用することが可能である。
【００３０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
３４は撮影した静止画像（原画像）から低解像度画像を生成するリサイズ回路である。
【００３２】
撮像素子１４の画素数と異なる画素数（サイズ）で記録媒体に画像データを記録したい場合や、画像データ記録時に添付されるインデックス用のサムネイル画像の生成等に利用される。また、画像表示部２８は、撮影素子１４よりも画素数はかなり少ないので、画像表示部２８に表示を行う場合の表示用画像を生成するためにも用いられる。リサイズ画像の解像度は用途により所定の複数の解像度から選択されるように構成される。リサイズ回路３４はメモリ３０に格納された画像を読み込んでリサイズ処理を行い、処理を終えたデータをメモリ３０に書き込む。
【００３３】
３６は画像データから赤目現象が発生している赤目の座標位置を検出する赤目検出回路であり、メモリ３０に格納された画像を読み込んで、公知の色相、彩度、明度などにより顔検知を行う。そして、顔領域内で、局所的パターンマッチングなどの手法により、画像データ内の人間の目の位置を検出し、さらに検出した目部分の色相、彩度、明度などから目部分に赤目現象が発生しているか否かを検出する。このようにして、赤目現象の発生している箇所の座標位置が検出される。
【００３４】
３８は赤目補正回路で、赤目検出回路３６で検出された赤目座標位置を元にメモリ３０に格納されている原画像データの赤目部分に対して、自然な目の表現となるよう赤目部分の色を周囲の虹彩部分の色と置換する。または、特定の色で塗りつぶすなどの公知の補正方法により補正する。
【００３５】
４０は絞り機能を備えるシャッター１２を制御する露光制御部であり、フラッシュ装置４００と連携することによりフラッシュ調光機能も有するものである。
【００３６】
４２は撮影レンズ１０のフォーカシングを制御する測距制御部である。
【００３７】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３８】
４４は撮影レンズ１０のズーミングを制御するズーム制御部、４６はバリアである保護部１０２の動作を制御するバリア制御部である。
【００３９】
４８はコネクタであり、アクセサリーシューとも呼ばれ、フラッシュ装置４００との電気接点や機械的な固定部も合わせて備えている。
【００４０】
５０はデジタルカメラ１００全体を制御するシステム制御回路、５２はシステム制御回路５０の動作用の定数、変数、プログラム等を記憶するメモリである。
【００４１】
５４はシステム制御回路５０でのプログラムの実行に応じて、文字、画像、音声等を用いて動作状態やメッセージ等を表示する液晶表示装置、スピーカー等の表示部である。この表示部５４は、デジタルカメラ１００の操作部近辺の視認し易い位置に単数或いは複数個所設置され、例えばＬＣＤやＬＥＤ、発音素子等の組み合わせにより構成されている。
【００４２】
また、表示部５４は、その一部の機能が光学ファインダ１０４内に設置されている。
【００４３】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示等がある。また、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等もある。
【００４４】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００４５】
５６は電気的に消去・記録可能な不揮発性メモリであり、例えばＥＥＰＲＯＭ等が用いられる。
【００４６】
６０，６２，６４，６６，６８，７０は、システム制御回路５０の各種の動作指示を入力するための操作部であり、スイッチやダイアル、タッチパネル、視線検知によるポインティング、音声認識装置等の単数或いは複数の組み合わせで構成される。
【００４７】
ここで、これらの操作部の具体的な説明を行う。
【００４８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００４９】
６２はシャッタースイッチＳＷ１で、不図示のシャッターボタンの操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５０】
６４はシャッタースイッチＳＷ２で、シャッターボタンの操作完了（全押し）でＯＮとなり、一連の撮影処理の動作開始を指示する。撮影処理では、撮像素子１４から読み出した信号をＡ／Ｄ変換器１６、メモリ制御回路２２を介してメモリ３０に画像データとして書き込む露光処理が行われる。また、画像処理回路２０やメモリ制御回路２２での演算を用いた現像処理も行われる。さらに、メモリ３０から画像データを読み出し、圧縮伸長回路３２で圧縮を行い、記録媒体２００或いは２１０に画像データを書き込む記録処理も行われる。
【００５１】
６６は画像表示ＯＮ／ＯＦＦスイッチで、画像表示部２８のＯＮ／ＯＦＦを設定することができる。
【００５２】
この機能により、光学ファインダ１０４を用いて撮影を行う際に、ＴＦＴ，ＬＣＤ等から成る画像表示部２８への電流供給を遮断することにより、省電力を図ることが可能となる。
【００５３】
６８は単写／連写スイッチで、シャッタースイッチＳＷ２を押した場合に１駒の撮影を行って待機状態とする単写モードとシャッタースイッチＳＷ２を押している間は連続して撮影を行い続ける連写モードとを設定することができる。
【００５４】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン等を備える。また、メニュー移動＋（プラス）ボタン、メニュー移動−（マイナス）ボタン、再生画像移動＋（プラス）ボタン、再生画像移動−（マイナス）ボタン等も備える。撮影画質選択ボタン、露出補正ボタン、日付／時間設定ボタン、パノラマモード等の撮影及び再生を実行する際に各種機能の選択及び切り替えを設定する選択／切り替えボタンも備える。また、パノラマモード等の撮影及び再生を実行する際に各種機能の決定及び実行を設定する決定／実行ボタン、撮影直後に撮影した画像データを自動再生するクイックレビュー機能を設定するクイックレビューＯＮ／ＯＦＦスイッチも備える。また、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチも備える。また、再生モード、マルチ画面再生・消去モード、ＰＣ接続モード等の各機能モードを設定することができる再生モードスイッチも備える。さらに、撮影モード状態において、撮影した画像をメモリ３０或いは記録媒体２００或いは２１０から読み出して画像表示部２８によって表示する再生動作の開始を指示する再生スイッチ等も備える。
【００５５】
８０は電源制御部で、電池検出回路、ＤＣ−ＤＣコンバータ、通電するブロックを切り替えるスイッチ回路等により構成されている。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５６】
８２はコネクタ、８４はコネクタ、８６はアルカリ電池やリチウム電池等の一次電池、ＮｉＣｄ電池やＮｉＨＭ電池やＬｉイオン電池等の二次電池、ＡＣアダプター等からなる電源部である。
【００５７】
９０及び９４はメモリカードやハードディスク等の記録媒体とのインタフェース、９２及び９６はメモリカードやハードディスク等の記録媒体と接続を行うコネクタである。また、９８はコネクタ９２及び／或いは９６に記録媒体２００或いは２１０が装着されているか否かを検知する記録媒体着脱検知部である。
【００５８】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５９】
インターフェース及びコネクタとしては、ＰＣＭＣＩＡカードやＣＦ（コンパクトフラッシュ（登録商標））カード等の規格に準拠したものを用いて構成して構わない。
【００６０】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、次のような動作を行うことができる。すなわち、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続する。これにより、他のコンピュータやプリンタ等の周辺機器との間で画像データや画像データに付属した管理情報を転送し合うことができる。
【００６１】
１０２は、デジタルカメラ１００の撮影レンズ１０を含む撮像部を覆うことにより、撮像部の汚れや破損を防止するバリアである保護部である。
【００６２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６３】
１０６は画像表示部開閉検知部であり、画像表示部２８が、画像表示部２８の表示部分をデジタルカメラ１００に向けて格納した格納状態にあるかどうかを検知することができる。
【００６４】
ここで、格納状態にあると検知したならば画像表示部２８の表示動作を停止して不要な電力消費を禁止することが可能である。
【００６５】
２００はメモリカードやハードディスク等の記録媒体である。
【００６６】
記録媒体２００は、半導体メモリや磁気ディスク等から構成される記録部２０２、デジタルカメラ１００とのインタフェース２０４、デジタルカメラ１００と接続を行うコネクタ２０６を備えている。
【００６７】
２１０はメモリカードやハードディスク等の記録媒体である。
【００６８】
記録媒体２１０は、半導体メモリや磁気ディスク等から構成される記録部２１２、デジタルカメラ１００とのインタフェース２１４、デジタルカメラ１００と接続を行うコネクタ２１６を備えている。
【００６９】
４００はフラッシュ装置である。
【００７０】
４０２はデジタルカメラ１００のアクセサリーシューと接続するためのコネクタである。４０４はフラッシュであり、ＡＦ補助光の投光機能、フラッシュ調光機能も有する。
【００７１】
次に、図２乃至図８を参照して、本実施形態のデジタルカメラの動作について説明する。
【００７２】
図２乃至図４は本実施形態のデジタルカメラ１００の主ルーチンのフローチャートである。
【００７３】
図２乃至図４を用いて、デジタルカメラ１００の動作を説明する。
【００７４】
電池交換等の電源投入により、システム制御回路５０はフラグや制御変数等を初期化し（ステップＳ１０１）、画像表示部２８の画像表示をＯＦＦ状態に初期設定する（ステップＳ１０２）。
【００７５】
システム制御回路５０は、モードダイアルスイッチ６０の設定位置を判断する（ステップＳ１０３）。もし、モードダイアルスイッチ６０が電源ＯＦＦに設定されていたならば、各表示部の表示を終了状態に変更し、保護部１０２のバリアを閉じて撮像部を保護する。また、フラグや制御変数等を含む必要なパラメータや設定値、設定モードを不揮発性メモリ５６に記録する。さらに、電源制御部８０により画像表示部２８を含むデジタルカメラ１００各部の不要な電源を遮断する（ステップＳ１０５）。これらの終了処理を行った後、ステップＳ１０３に戻る。
【００７６】
モードダイアルスイッチ６０が撮影モードに設定されていたならば（ステップＳ１０３）、ステップＳ１０６に進む。
【００７７】
モードダイアルスイッチ６０がその他のモードに設定されていたならば（ステップＳ１０３）、システム制御回路５０は選択されたモードに応じた処理を実行し（ステップＳ１０４）、処理を終えたならばステップＳ１０３に戻る。
【００７８】
システム制御回路５０は、電源制御部８０により電池等により構成される電源８６の残容量や動作情況がデジタルカメラ１００の動作に問題があるか否かを判断する（ステップＳ１０６）。そして、問題があるならば表示部５４を用いて画像や音声により所定の警告表示を行った後に（ステップＳ１０８）、ステップＳ１０３に戻る。
【００７９】
電源８６に問題が無いならば（ステップＳ１０６）、システム制御回路５０は記録媒体２００或いは２１０の動作状態がデジタルカメラ１００の動作、特に記録媒体に対する画像データの記録再生動作に問題があるか否かを判断する（ステップＳ１０７）。そして、問題があるならば表示部５４を用いて画像や音声により所定の警告表示を行った後に（ステップＳ１０８）、ステップＳ１０３に戻る。
【００８０】
記録媒体２００或いは２１０の動作状態に問題が無いならば（ステップＳ１０７）、ステップＳ１０９に進む。
【００８１】
システム制御回路５０は、表示部５４を用いて画像や音声によりデジタルカメラ１００の各種設定状態の表示を行う（ステップＳ１０９）。なお、画像表示部２８の画像表示がＯＮであったならば、画像表示部２８も用いて画像や音声によりデジタルカメラ１００の各種設定状態の表示を行う。
【００８２】
続いて、システム制御回路５０は、画像表示ＯＮ／ＯＦＦスイッチ６６の設定状態を調べ（ステップＳ１１４）、画像表示ＯＮに設定されていたならばステップＳ１１５に進む。
【００８３】
システム制御回路５０は、画像表示フラグを設定すると共に（ステップＳ１１５）、画像表示部２８の画像表示をＯＮ状態に設定する（ステップＳ１１６）。さらに、撮像した画像データを逐次表示するスルー表示状態に設定して（ステップＳ１１７）、図３のステップＳ１３１に進む。
【００８４】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示する。これにより、電子ファインダ機能を実現している。
【００８５】
画像表示ＯＮ／ＯＦＦスイッチ６６が画像表示ＯＦＦに設定されていたならば（ステップＳ１１４）、画像表示フラグを解除すると共に（ステップＳ１１８）、画像表示部２８の画像表示をＯＦＦ状態に設定して（ステップＳ１１９）、ステップＳ１３１に進む。
【００８６】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。
【００８７】
なお、画像表示フラグの状態は、システム制御回路５０の内部メモリ或いはメモリ５２に記憶する。
【００８８】
図３のステップＳ１３１において、シャッタースイッチＳＷ１が押されていないならば、ステップＳ１０３に戻る。
【００８９】
シャッタースイッチＳＷ１が押されたならば（ステップＳ１３１）、システム制御回路５０はシステム制御回路５０の内部メモリ或いはメモリ５２に記憶される画像表示フラグの状態を判断する（ステップＳ１３２）。そして、画像表示フラグが設定されていたならば画像表示部２８の表示状態をフリーズ表示状態に設定して（ステップＳ１３３）、ステップＳ１３４に進む。
【００９０】
フリーズ表示状態に於いては、撮像素子１４、Ａ／Ｄ変換器１６、画像処理回路２０、メモリ制御回路２２を介した画像表示メモリ２４の画像データ書き換えを禁止する。そして、最後に書き込まれた画像データを、メモリ制御回路２２、Ｄ／Ａ変換器２６を介して画像表示部２８により表示することにより、フリーズした映像を電子ファインダに表示している。
【００９１】
画像表示フラグが解除されていたならば（ステップＳ１３２）、ステップＳ１３４に進む。
【００９２】
システム制御回路５０は、測距処理を行って撮影レンズ１０の焦点を被写体に合わせ、測光処理を行って絞り値及びシャッター時間を決定する（ステップＳ１３４）。測光処理に於いて、必要であればフラッシュの設定も行う。
【００９３】
このステップＳ１３４で行われる測距・測光処理ルーチンの詳細は図５を用いて後述する。
【００９４】
ステップＳ１３４にて測距・測光処理ルーチンを終えたならば、ステップＳ１３５に進む。システム制御回路５０は、設定された撮影動作モードと測距・測光処理ルーチンにおいて決定した露出結果から、設定すべきシャッター速度が機械シャッターの最高速側のシャッター秒時を超えているか否かを判断する（ステップＳ１３５）。そして、超えていないならば機械シャッターでのシャッター秒時の設定を行い（ステップＳ１３６）、ステップＳ１３８に進む。
【００９５】
ステップＳ１３５で、超えているならば機械シャッターと電子シャッターを併用するシャッター秒時の設定を行い（ステップＳ１３７）、ステップＳ１３８に進む。
【００９６】
システム制御回路５０はシステム制御回路５０の内部メモリ或いはメモリ５２に記憶される画像表示フラグの状態を判断する（ステップＳ１３８）。そして、画像表示フラグが設定されていたならば画像表示部２８の表示状態をスルー表示状態に設定して（ステップＳ１３９）、ステップＳ１４０に進む。
【００９７】
このように、設定すべきシャッター速度が機械シャッターの最高速側のシャッター秒時を超えている場合には、電子シャッターを併用する。これにより、機械シャッターによってスミアの発生を防ぐと共に電子シャッターによって高速なシャッター秒時を可能とすることができる。
【００９８】
シャッタースイッチＳＷ２が押されずに（ステップＳ１４０）、さらにシャッタースイッチＳＷ１も解除されたならば（ステップＳ１４１）、ステップＳ１０３に戻る。
【００９９】
シャッタースイッチＳＷ２が押されたならば（ステップＳ１４０）、システム制御回路５０はシステム制御回路５０の内部メモリ或いはメモリ５２に記憶される画像表示フラグの状態を判断する（ステップＳ１４２）。そして、画像表示フラグが設定されていたならば画像表示部２８の表示状態を固定色表示状態に設定して（ステップＳ１４３）、図４のステップＳ１６１に進む。
【０１００】
固定色表示状態に於いては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを表示する。固定色の画像データは、メモリ制御回路２２、Ｄ／Ａ変換器２６を介して画像表示部２８により表示され、これにより、固定色の映像を電子ファインダに表示している。
【０１０１】
画像表示フラグが解除されていたならば（ステップＳ１４２）、図４のステップＳ１６１に進む。
【０１０２】
システム制御回路５０は、次のような撮影処理を実行する（ステップＳ１６１）。すなわち、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理を行う。また、メモリ制御回路２２そして必要に応じて画像処理回路２０を用いて、メモリ３０に書き込まれた画像データを読み出して各種処理を行う現像処理を行う。
【０１０３】
このステップＳ１６１にて行われる撮影処理ルーチンの詳細は図６を用いて後述する。
【０１０４】
システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行う。そして、演算結果をシステム制御回路５０の内部メモリ或いはメモリ５２に記憶する。
【０１０５】
そして、システム制御回路５０は、メモリ制御回路２２そして必要に応じて画像処理回路２０を用いて、メモリ３０の所定領域に書き込まれた撮影画像データを読み出す。そして、システム制御回路５０の内部メモリ或いはメモリ５２に記憶した演算結果を用いて、ＡＷＢ（オートホワイトバランス）処理、ガンマ変換処理、色変換処理を含む各種現像処理を行う（ステップＳ１６３）。このステップＳ１６３で実行される現像処理ルーチンの詳細は図７を用いて後述する。
【０１０６】
現像処理（ステップＳ１６３）を終えたなら、システム制御回路５０は、メモリ３０に書き込まれた画像データに対し、リサイズ回路３４を用いて、サムネイル画像やクイックレビュー表示用の低解像度の画像データを生成する（ステップＳ１６４）。この低解像度の画像データをリサイズ回路３４を用いて表示用画像サイズにリサイズし、画像表示メモリ２４に記録するとともに、画像表示部２８に表示する、第１のクイックレビュー表示を行う（ステップＳ１６５）。第１のクイックレビュー表示の例を図８Ａに示す。
【０１０７】
ここで表示されるクイックレビューでは、赤目現象は補正されていないが、画角の確認等の赤目以外の撮影結果確認として使用可能である。
【０１０８】
次に、システム制御回路５０は、撮影がフラッシュを使用した撮影であったか否かを判断し（ステップＳ１６６）、フラッシュが使用されていれば次のステップＳ１６７に進む。フラッシュ撮影でない場合は、赤目検出、補正処理は行わず、ステップＳ１７１に進む。
【０１０９】
ステップＳ１６７では、システム制御回路５０は、ステップＳ１６４で生成したメモリ３０に記録されている低解像度画像データに対して、赤目検出回路３６によって、撮影された画像データに赤目現象が発生しているか否かの検知を行う。
【０１１０】
赤目現象が発生していれば（ステップＳ１６８）、システム制御回路５０は、クイックレビューに「処理中」をいう文字を重畳表示させる（ステップＳ１８０）。そして、ステップＳ１６７で得られた、低解像度画像データに対する赤目が発生している座標を、演算により撮影画像に対する座標に変換する（ステップＳ１６９）。たとえば、撮影画像が２０４８×１５３６（３００万画素）、低解像度画像が６４０ｘ４８０（ＶＧＡ３０万画素）であれば、表示用画像で求められた赤目座標を縦方向、横方向それぞれ３．２倍することで、撮影画像上での赤目座標が求められる。
【０１１１】
図８Ｂに、処理中表示の例を示す。
【０１１２】
赤目現象が検出されなければ（ステップＳ１６８）、ステップＳ１７１に進む。
【０１１３】
撮影画像上の赤目座標が求められると、システム制御回路５０は、赤目補正回路３８を用いて、原画像データの赤目座標周辺の赤目現象を補正し、メモリ３０に記録する（ステップＳ１７０）。
【０１１４】
システム制御回路５０は、画像表示部２８への「処理中」表示を終了する（ステップＳ１８１）。そして、メモリ３０に書き込まれた撮影画像データを読み出して、メモリ制御回路２２そして必要に応じて画像処理回路２０を用いて各種画像処理を、また、圧縮伸長回路３２を用いて設定したモードに応じた画像圧縮処理を行う（ステップＳ１７１）。
【０１１５】
ここでは、赤目検出により赤目が検出された場合のみ赤目補正中に処理中表示を行っているが、赤目検出回路をソフトウェアで構成した場合には、赤目検出処理にも時間がかかるため、赤目検出中も処理中表示を行うようにしてもよい。
【０１１６】
また、本実施形態では、赤目現象が未補正のクイックレビューを赤目座標検出前に表示するものとしたが、赤目座標検出後（赤目補正前）にクイックレビューを表示するようにしても問題ない。
【０１１７】
次に、システム制御回路５０は、メモリ３０に書き込まれた赤目補正処理後の画像データに対し、リサイズ回路３４を用いて、サムネイル画像やクイックレビュー表示用の低解像度の画像データを再度生成する（ステップＳ１７２）。この低解像度の画像データをリサイズ回路３４を用いて表示用画像サイズにリサイズし、画像表示メモリ２４に記録するとともに、画像表示部２８に表示する、第２のクイックレビュー表示を行う（ステップＳ１７３）。第２のクイックレビュー表示の例を図８Ｃに示す。
【０１１８】
ここで、ステップＳ１６５で赤目現象が未補正のクイックレビューを表示し、ステップＳ１７３で赤目現象が補正済みのクイックレビューを表示することにより、ユーザが表示画像の変化により赤目補正の効果を確認しやすくなる。
【０１１９】
さらに、赤目補正中に、赤目補正前のクイックレビュー表示と共に、「処理中」等を表示し、その後、赤目補正済みのクイックレビューを表示することにより、赤目補正処理が自動で行われたことがよりユーザに分かり易くなる。なお、赤目補正処理が行なわれなかった場合は、ステップＳ１７２の処理を実行せず、ステップＳ１７３にてステップＳ１６４で生成した低解像度の画像データを用いてクイックレビュー表示を行っても構わない。このとき、ステップＳ１６５における第１のクイックレビュー表示と第２のクイックレビュー表示は同じ表示となる。
【０１２０】
システム制御回路５０は、ステップＳ１７２で生成した低解像度画像データから圧縮伸長回路３２を用いてサムネイル画像を生成し、画像データに付与して記録する（ステップＳ１７４）。
【０１２１】
システム制御回路５０は、メモリ３０の画像記憶バッファ領域に記憶した画像データを読み出す。そして、インタフェース９０或いは９４、コネクタ９２或いは９６を介して、メモリカードやコンパクトフラッシュ（登録商標）カード等の記録媒体２００或いは２１０へ書き込みを行う記録処理を行う（ステップＳ１７４）。
【０１２２】
シャッタースイッチＳＷ１が放されるまで（ステップＳ１７５）、システム制御回路５０は、現在の処理を繰り返す。
【０１２３】
シャッタースイッチＳＷ１が放されたならば（ステップＳ１７５）、ステップＳ１７６に進む。
【０１２４】
システム制御回路５０は、システム制御回路５０の内部メモリ或いはメモリ５２に記憶される画像表示フラグの状態を判断する（ステップＳ１７６）。そして、画像表示フラグが設定されていたならば（ステップＳ１７６）、画像表示部２８の表示状態をスルー表示状態に設定して（ステップＳ１７７）、一連の撮影動作を終えてステップＳ１０３に戻る。
【０１２５】
画像表示フラグが解除されていたならば（ステップＳ１７６）、画像表示部２８の画像表示をＯＦＦ状態に設定して一連の撮影動作を終えてステップＳ１０３に戻る。
【０１２６】
図５は、図３のステップＳ１３４における測距・測光処理の詳細なフローチャートである。
【０１２７】
システム制御回路５０は、撮像素子１４から電荷信号を読み出し、Ａ／Ｄ変換器１６を介して画像処理回路２０に撮影画像データを逐次読み込む（ステップＳ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１２８】
なお、ここでの各処理は、撮影した全画素数のうちの必要に応じた特定の部分を必要個所分切り取って抽出し、演算に用いている。これにより、 ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１２９】
画像処理回路２０での演算結果を用いて、システム制御回路５０は露出（ＡＥ）が適正と判断されるまで（ステップＳ２０２）、露光制御部４０を用いてＡＥ制御を行う（ステップＳ２０３）。
【０１３０】
ＡＥ制御で得られた測定データを用いて、システム制御回路５０はフラッシュが必要か否かを判断し（ステップＳ２０４）、フラッシュが必要ならばフラッシュフラグをセットし、フラッシュ４０４を充電する（ステップＳ２０５）。
【０１３１】
露出（ＡＥ）が適正と判断したならば（ステップＳ２０２）、測定データ及び／或いは設定パラメータをシステム制御回路５０の内部メモリ或いはメモリ５２に記憶する。
【０１３２】
画像処理回路２０での演算結果及びＡＥ制御で得られた測定データを用いて、システム制御回路５０はホワイトバランス（ＡＷＢ）が適正と判断されるまで（ステップＳ２０６）、画像処理回路２０を用いてＡＷＢ制御を行う（ステップＳ２０７）。ＡＷＢ制御では色処理のパラメータを調節する。
【０１３３】
ホワイトバランス（ＡＷＢ）が適正と判断したならば（ステップＳ２０６）、測定データ及び／或いは設定パラメータをシステム制御回路５０の内部メモリ或いはメモリ５２に記憶する。
【０１３４】
ＡＥ制御及びＡＷＢ制御で得られた測定データを用いて、システム制御回路５０は測距（ＡＦ）が合焦と判断されるまで（ステップＳ２０８）、測距制御部４２を用いてＡＦ制御を行う（ステップＳ２０９）。
【０１３５】
測距（ＡＦ）が合焦と判断したならば（ステップＳ２０８）、測定データ及び／或いは設定パラメータをシステム制御回路５０の内部メモリ或いはメモリ５２に記憶し、測距・測光処理ルーチンＳ１３４を終了する。
【０１３６】
図６は、図４のステップＳ１６１における撮影処理の詳細なフローチャートである。
【０１３７】
システム制御回路５０は、撮像素子１４の電荷クリア動作を行った後に（ステップＳ３０１）、撮像素子１４の電荷蓄積を開始する（ステップＳ３０２）。その後、露光制御部４０によって、シャッター１２を開き（ステップＳ３０３）、撮像素子１４の露光を開始する（ステップＳ３０４）。
【０１３８】
ここで、フラッシュ・フラグによりフラッシュ４０４が必要か否かを判断し（ステップＳ３０５）、必要な場合はフラッシュを発光させる（ステップＳ３０６）。
【０１３９】
なお、フラッシュ４０４が不要又は使用不可能な場合はステップＳ３０７に進む。
【０１４０】
システム制御回路５０は、測光データに従って撮像素子１４の露光終了を待ち（ステップＳ３０７）、露光制御部４０によって、シャッター１２を閉じ（ステップＳ３０８）、撮像素子１４の露光を終了する。
【０１４１】
設定した電荷蓄積時間が経過したならば（ステップＳ３０９）、システム制御回路５０は、撮像素子１４の電荷蓄積を終了する（ステップＳ３１０）。その後、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域へ撮影画像データを書き込む（ステップＳ３１１）。
【０１４２】
一連の処理を終えたならば、撮影処理ルーチンＳ１６１を終了する。
【０１４３】
図７は、図４のステップＳ１６３における現像処理の詳細なフローチャートである。
【０１４４】
システム制御回路５０は、メモリ３０に書き込まれた撮影画像データ及びダーク画像データを読み出して、輝度信号処理や（ステップＳ５０１）、色処理（ステップＳ５０２）を順次行った後、メモリ３０に処理を終えた画像データを書き込む。
【０１４５】
一連の処理を終えたならば、現像処理ルーチンＳ１６３を終了する。
【０１４６】
以上、本発明の実施形態の説明を行った。
【０１４７】
なお、上記の実施形態においては、本発明をレンズシャッタータイプのデジタルカメラに適用した場合について説明したが、レンズ交換式の一眼レフタイプのデジタルカメラに対しても、本発明は同様に適用可能である。
【０１４８】
また、赤目検出回路３６や赤目補正回路３８はハードウェアで構成されていても良いし、システム制御回路５０に内蔵されたソフトウェアによって構成されても良いことはいうまでもない。
【０１４９】
また、記録媒体２００及び２１０がメモリカードとハードディスク等が一体となった複合媒体であっても勿論問題無い。さらに、その複合媒体から一部が着脱可能な構成としても勿論問題無い。
【０１５０】
また、上記の実施形態では、記録媒体２００及び２１０はデジタルカメラ１００と分離していて任意に接続可能なものとして説明したが、いずれか或いは全ての記録媒体がデジタルカメラ１００に固定したままとなっていても勿論問題無い。
【０１５１】
また、デジタルカメラ１００に記録媒体２００或いは２１０が、単数或いは複数の任意の個数接続可能な構成であっても構わない。
【０１５２】
また、デジタルカメラ１００に記録媒体２００及び２１０が装着される構成として説明したが、記録媒体は単数或いは複数の何れの組み合わせの構成であっても、勿論問題無い。
【０１５３】
また、フラッシュ装置４００はデジタルカメラ１００と分離していて任意に接続可能なものとして説明したが、フラッシュ装置４００がデジタルカメラ１００に固定されたままとなっていても勿論問題ない。
【０１５４】
また、複数のフラッシュ装置４００が、個々にデジタルカメラ１００と接続可能及び／或いは固定したままの状態となる構成であっても問題ない。
【０１５５】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１５６】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１５７】
本発明を上記記憶媒体に適用する場合、その記憶媒体には、先に説明した手順に対応するプログラムコードが格納されることになる。
【図面の簡単な説明】
【０１５８】
【図１】本発明の一実施形態に係わるデジタルカメラの構成を示す図である。
【図２】本発明の一実施形態に係わるデジタルカメラの主ルーチンのフローチャートである。
【図３】本発明の一実施形態に係わるデジタルカメラの主ルーチンのフローチャートである。
【図４】本発明の一実施形態に係わるデジタルカメラの主ルーチンのフローチャートである。
【図５】一実施形態のデジタルカメラにおける測距・測光ルーチンのフローチャートである。
【図６】一実施形態のデジタルカメラにおける撮影ルーチンのフローチャートである。
【図７】一実施形態のデジタルカメラにおける現像ルーチンのフローチャートである。
【図８Ａ】赤目補正前のクイックレビュー表示を示す図である。
【図８Ｂ】赤目補正中のクイックレビュー表示を示す図である。
【図８Ｃ】赤目補正後のクイックレビュー表示を示す図である。
【符号の説明】
【０１５９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
３４  リサイズ回路
３６  赤目検出回路
３８  赤目補正回路
４０  露光制御部
４２  測距制御部
４４  ズーム制御部
４６  バリア制御部
４８  コネクタ（アクセサリーシュー）
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  単写／連写スイッチ
７０  操作部
８０  電源制御部
８２  コネクタ
８４  コネクタ
８６  電源部
９０  インタフェース
９２  コネクタ
９４  インタフェース
９６  コネクタ
９８  記録媒体着脱検知部
１００  デジタルカメラ
１０２  保護部
１０４  光学ファインダ
１０６  画像表示部開閉検知部
２００  記録媒体
２０２  記録部
２０４  インタフェース
２０６  コネクタ
２１０  記録媒体
２１２  記録部
２１４  インタフェース
２１６  コネクタ
４００  フラッシュ装置
４０２  コネクタ
４０４  フラッシュ
【図１】
2008109503.tif 000003
【図２】
2008109503.tif 000004
【図３】
2008109503.tif 000005
【図４】
2008109503.tif 000006
【図５】
2008109503.tif 000007
【図６】
2008109503.tif 000008
【図７】
2008109503.tif 000009
【図８Ｃ】
2008109503.tif 000010
【図８Ａ】
2008109503.tif 000011
【図８Ｂ】
2008109503.tif 000012